(57)【要約】【課題】  マークアップ言語で記述されている文書を画面に表示するブラウザ機能を具備し、そこで、音声タグの内容、記述されたテキストデータを検出、抽出する手段を具備する情報端末において、音声合成を聞いたときに、間違った意味でユーザに伝わることを防止する情報端末を提供することを目的とするものである。【解決手段】  マークアップ言語で記述されている文書を画面に表示するブラウザ機能を具備し、そこで、音声タグの内容、記述されたテキストデータを検出、抽出する手段を具備する情報端末において、選択された音声タグ内に隠れているテキスト文書をプリントアウトする情報端末である。【選択図】  図１
2005174164.tif 000002
【特許請求の範囲】
【請求項１】
マークアップ言語で記述されている文書を画面に表示するブラウザ機能を具備し、音声タグを検出し、その内容であるテキストデータを抽出する手段を具備する情報端末において、
上記検出された音声タグの内容であるテキストデータをプリントアウトするプリント手段を有することを特徴とする情報端末。
【請求項２】
請求項１において、
音声タグのテキストデータをプリントアウトする際に、ユーザが選択した音声タグのテキストデータをプリントアウトするプリント手段を有することを特徴とする情報端末。
【請求項３】
請求項１または請求項２において、
上記抽出された音声タグの内容であるテキストデータを音声合成する音声合成手段を有することを特徴とする情報端末。
【請求項４】
マークアップ言語で記述されている文書を画面に表示するブラウザ機能を具備し、音声タグを検出し、その内容であるテキストデータを抽出する手段を具備する情報端末の制御方法において、
上記検出された音声タグの内容であるテキストデータをプリントアウトするプリント工程を有することを特徴とする情報端末の制御方法。
【請求項５】
請求項４において、
音声タグのテキストデータをプリントアウトする際に、ユーザが選択した音声タグのテキストデータをプリントアウトするプリント工程を有することを特徴とする情報端末の制御方法。
【請求項６】
請求項４または請求項５において、
上記抽出された音声タグの内容であるテキストデータを音声合成する音声合成工程を有することを特徴とする情報端末の制御方法。
【発明の詳細な説明】
【技術分野】
【０００１】
本発明は、公衆回線に接続され、メールの送受信やＷＥＢ閲覧機能を搭載した記録手段を具備する電話機において、音声タグの内容、記述されたテキストデータをプリントアウトする情報端末に関する。
【背景技術】
【０００２】
近年では、ＨＴＭＬ（Ｈｙｐｅｒ−Ｔｅｘｔ  Ｍａｒｋｕｐ  Ｌａｎｇｕａｇｅ）形式で記述されている文書（以下、「ＨＴＭＬ文書」と呼ぶ）が普及している。ＨＴＭＬ文書は、マークアップ言語であって、タグと称される制御記号を用いて文書構造等を記述する文書である。
【０００３】
ＨＴＭＬ文書は、テキストファイルからなり、機種に依存しないので、インターネット等で情報を交換する際に、標準的に用いられている。また、所定の記録媒体に記録し、閉じた環境で用いる文書にも、ＨＴＭＬ文書を利用する例が多い。たとえばＣＤ−ＲＯＭ（Ｃｏｍｐａｃｔ  Ｄｉｓｃ−Ｒｅａｄ  Ｏｎｌｙ  Ｍｅｍｏｒｙ）等に、ＨＴＭＬ文書を記録し、配布する。
【０００４】
また、このＨＴＭＬ文書で使用されているタグを制限したＣ−ＨＴＭＬ（Ｃｏｍｐａｃｔ−ＨＴＭＬ）が知られている。これは、パソコンではない情報端末や電話機で使用する際に利用されている。
【０００５】
ＨＴＭＬファイルを解釈し、ＨＴＭＬファイルの記述に基づく画面表示等を行うためのソフトウェアを、ＨＴＭＬブラウザという。以下では、ＨＴＭＬブラウザを、単に「ブラウザ」と略称する。インターネットの普及に伴い、パーソナルコンピュータのみならず、携帯電話や、家庭の電話機にも、上記ブラウザが搭載されているインターネット端末が登場している。それを接続し、その情報端末上の表示を利用し、上記ＨＴＭＬ文書を表示させる例が多く見受けられる。
【０００６】
しかし、電話機等の情報端末による画面は、パーソナルコンピュータの画面に比べて低解像度であり、サイズが小さいので、モニタに映出されたＨＴＭＬ文書等によるテキスト文書を、長時間にわたって読むことは、相当の苦痛を伴う作業である。
【０００７】
従来技術の例として、以下の文献を挙げる。
【０００８】
画面に表示されたテキスト文書の一部を容易に選択して音声化することができるようにすることを課題にし、マークアップ言語で記述された文書タグ検出したら、それを音声化するか、しないかを判断するもの（たとえば、特許文献１参照）。
【０００９】
ハンドセットやスピーカを備え、音声読み上げ機能を備えた通信装置において、音声再生先を、ユーザの希望に応じて切り替えることを課題とし、マークアップ言語で記述された文書データに基づいて音声合成を行って音声信号を発生する先を切り替えるもの（たとえば、特許文献２参照）。
【特許文献１】特開２０００−３３９１３２号公報
【特許文献２】特開２００３−２８３５９８号公報
【発明の開示】
【発明が解決しようとする課題】
【００１０】
上記従来例の問題を解決するためには、電話機のような情報端末に、ＨＴＭＬ文書を表示するブラウザを搭載し、さらに、音声合成機能を搭載すること（組み込み型の音声合成機能を取り込んでおくこと）によって、表示用のＨＴＭＬ文書（表示用テキストデータ）を音声合成で読上げることが考えられる。
【００１１】
これらの機能を活用することによって、表示用のテキストデータを、音声発生させることはできるが、所詮音声合成であるので、本来のイントネーションとは異なるイントネーションや、間違った読み等によって、間違った意味でユーザに伝わることがあるという問題が残る。
【００１２】
そこで、ファクシミリ機能搭載の電話機等の情報端末において、ｅ−ｍａｉｌ等のテキストデータをプリントアウトするものが製品化されているので、同様にＨＴＭＬ文書をプリントアウトすることも考えられる。
【００１３】
しかし、音声タグを持つＨＴＭＬ文書もあり、音声タグ内のテキストデータは、音声合成によって再生することによってしか、確認することができない。
【００１４】
つまり、音声タグ内のテキストデータは、本体のスピーカや、ハンドセット、またはコードレス子機のような無線電話機で再生して聞くことができても、その内容をプリントアウトして確認することができないという問題がある。
【００１５】
本発明は、マークアップ言語で記述されている文書を画面に表示するブラウザ機能を具備し、そこで、音声タグの内容、記述されたテキストデータを検出、抽出する手段を具備する情報端末において、音声合成を聞いたときに、間違った意味でユーザに伝わることを防止する情報端末を提供することを目的とするものである。
【００１６】
また、本発明は、マークアップ言語で記述されている文書を画面に表示するブラウザ機能を具備し、そこで、音声タグの内容、記述されたテキストデータを検出、抽出する手段を具備する情報端末において、ユーザが、テキストデータを確認しながら音声合成を聞くことができ、より正しい意味で、内容をユーザに伝えることができる情報端末を提供することを目的とするものである。
【００１７】
さらに、本発明は、マークアップ言語で記述されている文書を画面に表示するブラウザ機能を具備し、そこで、音声タグの内容、記述されたテキストデータを検出、抽出する手段を具備する情報端末において、音声合成機能を持っていない情報端末であっても、音声タグとして提供される情報を漏らすことなく、ユーザが知ることができる情報端末を提供することを目的とするものである。
【課題を解決するための手段】
【００１８】
本発明は、マークアップ言語で記述されている文書を画面に表示するブラウザ機能を具備し、そこで、音声タグの内容、記述されたテキストデータを検出、抽出する手段を具備する情報端末において、選択された音声タグ内に隠れているテキスト文書をプリントアウトする情報端末である。
【００１９】
また、本発明は、マークアップ言語で記述されている文書を画面に表示するブラウザ機能を具備し、そこで、音声タグの内容、記述されたテキストデータを検出、抽出する手段を具備する情報端末において、電話機等での利便性を考慮し、画面に表示されたテキスト文書だけでなく、本来表示用ではない音声タグ内に隠れているテキスト文書を選択し、この選択されたテキスト文書をプリントアウトする情報端末である。
【発明の効果】
【００２０】
請求項１、４記載の発明によれば、音声タグの内容であるテキストデータをプリントアウトできるので、音声タグの内容に含まれているテキストデータを、確実に、漏れ無く入手することができるという効果を奏する。
【００２１】
請求項２、５記載の発明によれば、ユーザが選択した音声タグのテキストデータをプリントアウトできるので、必要な部分の内容を選び出して、確実に、漏れ無く入手することができ、不要な部分はプリントしなくても良いという効果を奏する。
【００２２】
請求項３、６記載の発明によれば、音声合成機能によってその内容を聞きながら、内容を確認することができるという効果を奏する。
【発明を実施するための最良の形態】
【００２３】
発明を実施するための最良の形態は、次の実施例である。
【実施例１】
【００２４】
図１は、本発明の実施例１であるプリンタ機能を持ったウェブブラウザ機能付きのファクシミリ装置ＦＳ１を示す図である。
【００２５】
プリンタ機能を持ったウェブブラウザ機能付きのファクシミリ装置ＦＳ１は、コードレス電話の親機（情報端末）１０と、コードレス電話子機（無線電話機）３０とを有する。
【００２６】
親機１０は、表示部１１と、操作部１２と、ハンドセット１３と、親機１０と公衆網ＮＷとを接続する有線回線１７と、子機３０と無線通信するアンテナ１４とを有する。
【００２７】
また、子機３０は、表示部３１と、操作部３２と、親機１０と無線通信するアンテナ３３とを有する。
【００２８】
図２は、ファクシミリ装置ＦＳ１における親機１０の内部構成を示す図である。
【００２９】
親機１０は、音声出力機能付電話機の例であり、音声出力機能の他に、ＷＥＢ閲覧や、コンテンツのテキストデータを検出し、それをプリントアウトすることができる。また、文字メッセージを送受信できるメール機能を備えている。
【００３０】
親機１０は、ＣＰＵ１と、ＲＯＭ２と、ＲＡＭ３と、通信制御部４と、ＤＳＰ部５と、音源部６と、クロスポイントスイッチ７と、スピーカ９と、表示部１１と、操作部１２と、ハンドセット１３と、アンテナ１４と、公衆回線１７と、記録部２１と、読取部２２と、センサ部２３と、本体マイク２４と、フック検出部２６と、無線部２７と、データバス２９とを有する。
【００３１】
ＣＰＵ１は、データバス２９を介して、各部から信号を入力し、この入力した信号に応じて、データバス２９に接続されている各構成要素を制御する。すなわち、ＣＰＵ１は、ＲＯＭ２に格納されている呼処理プログラムに応じて、通話に伴う呼処理や、各種サービス機能に伴う処理を実行する。
【００３２】
次に、上記サービス機能の具体例としてコンテンツ閲覧機能があり、このコンテンツ閲覧機能としてのブラウザの動作を説明する。
【００３３】
ユーザがＷＥＢ閲覧機能を起動し、指定のＵＲＬ等を設定すると、ＣＰＵ１は、その文字メッセージをテキストデータとして、ＲＡＭ３に記憶する。
【００３４】
ＲＯＭ２は、ＤＳＰ部５を制御し、データモデムによるＷＥＢ閲覧等のブラウザ機能やメールの送受信、ファクシミリモデムとしてのＦＡＸ送受信、ナンバーディスプレイの表示、音声合成信号の出力を実現するためのプログラムを格納している。
【００３５】
もちろん、読み取り、記録制御に使用する制御も含まれる。また、ＲＯＭ２は、データの書込み、消去が可能なＥＥＰＲＯＭまたはフラッシュＲＯＭで構成されていてもよい。
【００３６】
ＲＡＭ３は、ＣＰＵ１が呼処理を含むＷＥＢ閲覧や、メール送受信の各処理を実行する場合に使用するメモリであり、ＲＯＭ２とは異なり、一時的なデータを記憶する。ＲＡＭ３は、電池等でバックアップされ、作成した文字メッセージや受信した文字メッセージ、各種サービス機能の設定内容や電話帳に登録した内容を記憶する。また、ＲＡＭ３として、不揮発性メモリであるＥＥＰＲＯＭ等を使用するようにしてもよい。
【００３７】
通信制御部４は、公衆回線１７を収容するインタフェースであり、アナログ回線である場合、局交換機の電話回線（以後、「加入者線」という）に接続され、ダイオードによる全波整流回路によって構成され、回線電圧の極性を一致させる極性一致回路、回路局交換機の加入者線に接続され、局交換機からの呼出信号を検出するリンガー検出回路、オフフック操作が行われると回線ループを形成し、また、局に対してダイヤルパルスを送出するパルス送出回路、２線−４線変換を行うためのトランス回路によって構成されている。
【００３８】
本実施例は、アナログ回線を使用しているが、ＩＳＤＮやブロードバンド回線等のデジタル回線を使用するようにしてもよい。
【００３９】
ＤＳＰ部５は、デジタル信号処理プロセッサであり、ＤＳＰとＡＦＥ（アナログフロントエンド）とによって構成され、機能的には、ＷＥＢ閲覧やメールの送受信を行うためのデータモデム機能や、Ｇ３ＦＡＸによるファクシミリの送受信を行うファクシミリモデムの機能を、ＣＰＵ１の制御によって実現する。
【００４０】
さらに、ＤＳＰ部５は、モデムデータ（ナンバーディスプレイデータ）の解析を行うナンバーディスプレイ機能と、文字データによって人工的な音声信号を生成出力する音声合成機能とを備えている。
【００４１】
音声合成機能は、ＣＰＵ１の制御によって入力した文字データや、ブラウザによって抽出されたテキストデータや、音声タグ内のテキストデータを音声合成する。この合成音声は、アナログ音声信号としてクロスポイントスイッチ７に出力する音声合成部である。
【００４２】
すなわち、音声合成機能は、ＣＰＵ１の制御によって入力した文字コードを、５０音分の音声データに変換して再生する音声合成発声機能を備えている。なお、５０音分の音声データは、ＲＯＭ２内に記憶されている。そして、クロスポイントスイッチ７によって、本体スピーカ９等の出力先に音声パスを切替音声再生する。
【００４３】
音源部６は、保留音や着信メロディの音源であり、内部に音源データ生成機能をもち、ＲＯＭ２に記憶してあるデータであり、ＣＰＵ１の制御によって、アナログ信号を出力する。また、擬似ＤＴ、ＢＴ、ＲＢＴ等のコールプログレストーンを出力する音源も兼ねるようにしてもよい。
【００４４】
クロスポイントスイッチ部７は、ＣＰＵ１からの制御によって、ＤＳＰ部５からの信号や音源部６、ハンドセット１３、スピーカ９、本体マイク２４、無線部２７等のアナログ入出力信号の通信制御部４への入出力の切り替えを行う。
【００４５】
ハンドセット１３は、音声の入出力を行う。スピーカ９は、着信音や記憶した音声データの出力とＦＡＸ通信時のモニタとを行う。本体マイク２４は、スピーカホン機能を実現する際の音声入力として使用する。
【００４６】
無線部２７は、制御データと音声信号とを変調し、無線送信可能な形式に変換し、アンテナ１４に送り、また、アンテナを介して無線受信した情報から復調されたデータを取り出し、制御データを、ＣＰＵ１に出力し、アナログ信号を、クロスポイントスイッチ７に出力する。
【００４７】
記録部２１は、感熱型、熱転写型プリンタ、またはレーザビームプリンタ、インクジェットプリンタ等の周知の印字手段を備えた記録部であり、ＦＡＸとして記録する場合、ＭＨ、ＭＲ、ＭＭＲ符号化されたデジタルデータを復号化し、この復号化したデータを印字データとして印字する。
【００４８】
また、ブラウザ内でデータをプリントアウトする場合には、ＲＡＭ３を受信バッファとして使用し、そこに格納されているマークアップ言語で記述されたウェブ１ページ分のデータを表示用データに変換し、表示部１１へは、一度に表示可能な量のデータをＲＡＭ３内の表示バッファに格納する。ブラウザは、表示バッファへの格納を終了すると、記録部２１へ印字開始通知を行う。
【００４９】
格納終了通知を受けると、表示バッファからデータを読み出し、１ラインごとに、プリンタ用データに変換し、記録部２１へ転送する。転送が終わると、転送終了通知を、ブラウザに通知する。
【００５０】
転送終了通知を受けたブラウザは、次の表示用データがあれば、表示バッファに格納し、記録部２１に通知し、ウェブページ分のデータが終わり、次の表示用データがなければ、ページ終了を通知する。以上の処理を繰り返し、１ページ分のデータを記録部２１に転送し、ウェブプリントを行う。
【００５１】
また、ブラウザによって、音声タグ内に隠れているテキストデータをプリントアウトする場合は、上記説明と同様な動きで、表示バッファから必要なテキストデータを読み出し、１ラインごとにプリント用データに変換し、記録部２１へ転送する。転送が終わると、転送終了通知をブラウザに通知する。
【００５２】
転送終了通知を受けたブラウザは、次の音声タグ内に隠れているテキストデータがあれば、表示バッファに格納し、記録部２１に通知し、音声タグ内に隠れているテキストデータが終わり、次の音声タグ内に隠れているテキストデータがなければ、ページ終了を通知し、音声タグ内のテキストデータをプリントアウトする。
【００５３】
読取部２２は、ＣＣＤまたは密着型センサアレイ等の周知の原稿読取手段を備え、読取手段が読み取ったアナログデータを、デジタルデータに変換し、また、この変換されたデジタルデータを、ＭＨ、ＭＲ、ＭＭＲ符号化等の周知の符号化方法によって符号化し、出力する。
【００５４】
センサ部２３は、読取部２２上の送信原稿の有無やサイズを検出し、この検出結果をＣＰＵ１に通知する。また、記録部２１上の記録紙の有無やサイズを検出し、この検出結果をＣＰＵ１に通知する。
【００５５】
表示部１１は、インターネット上のサーバから受信したＨＴＭＬの情報を表示し、また、時刻の表示や通信中の回線状態とエラー等の状態とを表示し、主にカラーＬＣＤや、モノクロＬＣＤ等の液晶部品等で構成されている。
【００５６】
また、表示部１１は、キー入力等を行う操作部１２によってキー入力された文字メッセージや、受信した文字メッセージも表示し、また、電話機の各種サービス機能の設定内容も表示する。
【００５７】
操作部１２は、キーボード、ポインティングデバイス、キー等によって構成され、表示部１１とともにユーザインタフェースを構成し、ウェブブラウズ操作、プリント、発呼／着呼／登録等に関するオペレータの操作を受け付け、制御部１へオペレータの操作を通知する。
【００５８】
操作部１２は、たとえば、ダイヤル番号やＵＲＬ等を、０−９、＊、＃、上記キーを利用し、アルファベットや記号等を入力するためのダイヤルキー、ファクシミリの送受信を制御する送信、受信キー、回線のＯＮ／ＯＦＦを制御するオフフックキー、その他保留キーや機能設定を行うためのセレクトキー等のキーによって構成されている。
【００５９】
また、操作部１２は、メール送信時、文字メッセージを入力したり、編集したりする文字入力手段として機能する。さらに、メール機能を起動し、文字メッセージの送信処理、受信処理を行う場合も、操作部１２を用いる。また、メール機能によって作成した文字メッセージや受信した文字メッセージを音声出力し、設定したサービス機能の内容を音声出力する場合も、操作部１２の所定のキーを操作することによって行う。
【００６０】
さらに、操作部１２は、マークアップ言語で書かれた内容のテキストデータや、音声タグ内のテキストデータをプリントアウトする操作を行う。フック検出部２６は、特にハンドセットのＯＮ／ＯＦＦを検出し、回線ＯＮ／ＯＦＦを制御する。
【００６１】
ＣＰＵ１は、ＷＥＢ閲覧操作が行われると、ＲＯＭ２に格納されているデータモデム制御のプログラムをロードし、ＤＳＰ部５をデータモデムとして制御する。ＲＡＭ３に記憶されているＷＥＢ閲覧する際は、ＵＲＬに従い、ＷＥＢ表示処理を実行する。
【００６２】
ＣＰＵ１は、コンテンツ読み出し機能を有するタグを検出すると、操作しているユーザに、音声再生するかどうかを選択する操作を促し、その操作を検出すると、ＲＯＭ２内の音声合成プログラムを起動し、ＤＳＰ部５を音声合成機能に設定する。その後に、閲覧しているページ内の音声タグにあるテキストデータを抽出し、ＤＳＰ部５内の音声合成機能に出力し、音声合成を行い、クロスポイントスイッチ７を介して、本体スピーカ９やハンドセット１３、無線部２７に、音声出力する。
【００６３】
この際、フック検出部２６の状況によって切替出力する。
【００６４】
また、メール送信の場合、文字メッセージの中から、指定された文字メッセージのデータを読み出し、文字メッセージを送信処理する。
【００６５】
ＣＰＵ１は、作成した文字メッセージの音声出力操作を検出すると、ＲＯＭ２内の音声合成プログラムを起動し、ＤＳＰ部５を、音声合成機能に設定する。その後、ＲＡＭ３内の所定の文字データを、ＤＳＰ部５内の音声合成機能に出力し。音声合成し、クロスポイントスイッチ７を介して、スピーカ９や無線部２７に音声出力する。
【００６６】
さらに、ＣＰＵ１は、メール受信時ＤＳＰ部５を、データモデムとして制御することによって、文字メッセージを受信すると、そのデータを、テキストデータとしてＲＡＭ３に記憶する。ＣＰＵ１は、親機１０が受信した文字メッセージの内容を確認する命令を受けると、該当する文字メッセージを、表示部１１に表示する。ＣＰＵ１は、受信した文字メッセージの音声出力命令を検出すると、先程と同様に、その文字データを、音声合成機能に設定されているＤＳＰ部５に出力し、音声合成を行い、クロスポイントスイッチ７を介して、スピーカ９が音声出力する。
【００６７】
また、無線部２７を介して、子機３０からのリモート操作によって受信した文字メッセージの読上命令を受けると、ＤＳＰ部５を制御し、また、クロスポイントスイッチ７を制御することによって、ＤＳＰ部５から受けた音声合成信号を、無線部２７に出力する。
【００６８】
図３は、子機３０の内部構成を示す図である。
【００６９】
子機３０は、表示部３１と、操作部３２と、アンテナ３３と、ＣＰU４１と、ＲＯＭ４２と、ＲＡＭ４３と、ベースバンド部４４と、無線部４５と、スピーカ４６と、レシーバ４７、マイク４８とを有する。
【００７０】
ＣＰU４１は、子機３０の全体を制御する。ＲＯＭ４２は、ＣＰＵ４１の制御プログラムを格納し、ファクシミリ装置ＦＳ１の呼出符号（システムＩＤ）、無線電話機の子機番号ＩＤ等を記憶するＥＥＰＲＯＭや、親機１０からのメールを受信した時に文字データを格納し、電話帳データを記憶するフラッシュＲＯＭによって構成するようにしてもよい。
【００７１】
ＲＡＭ４３は、ＣＰＵ４１が処理し、制御するときに必要なワークエリアである。操作部３２は、ダイヤル番号等を入力するダイヤルキー、外線キー、保留キー、スピーカキー、電話帳キー等の機能のキーによって構成されている。
【００７２】
表示部３１は、着信を表示し、また、操作部３２を介して入力されるダイヤル番号や公衆回線の使用状況等を表示する。
【００７３】
ベースバンド部４４は、モデム・コンパンダ、秘話・アンプ機能を有し、制御データと音声信号とを送受信する。ベースバンド部４４からの変調信号を、無線部４５を介して、親機１０に伝送し、また、無線部４５からの変調信号を復調し、制御信号をＣＰＵ４１に出力し、音声信号をスピーカ４６へ出力する。
【００７４】
無線部４５は、ベースバンド部４４からの変調信号を無線送信可能な形式に変換し、アンテナ３３に送り、また、アンテナ３３を介して、無線受信した信号から変調信号を取り出し、ベースバンド部４４に出力する。マイク４８は、通話音声信号を入力する。スピーカ４６は、音声信号を拡声出力し、また、着信音等を鳴動する。レシーバ４７は、通話音声信号を出力する。
【００７５】
上記構成において、情報端末１０は、マークアップ言語で記述されている文書を画面に表示できるブラウザ機能を有し、音声化すべきタグが、ユーザ操作によって選択されると、その登録情報に基づいたテキストデータを、記録手段によってプリントアウトできるプリンタ機能を有するブラウザ情報端末であり、音声合成機能の搭載の有無に係わらず、情報をプリントアウトし、確認することができる。
【００７６】
次に、ユーザ操作によって音声タグを選択した際に、音声再生すべき音声タグ内のデータをプリントアウトする動作について説明する。
【００７７】
図４は、ユーザ操作によって音声タグを選択させた際に、音声再生するべき音声タグ内のデータをプリントアウトする動作を示すフローチャートである。
【００７８】
Ｓ１では、親機１０のスタートによって、親機１０は、スタンバイからＷＥＢ閲覧動作に入る。
【００７９】
ブラウザ動作をするために回線を接続し、通信制御部が公衆網に接続し、データモデムが、所定の手順に従いサーバと接続する。そして、端末としては、ＷＥＢ閲覧をしている状態である。または、回線接続しない状態であり、この場合は、装置のメモリに保持しているページ情報を閲覧できるようにしてもよい。
【００８０】
Ｓ２では、ウェブの１ページ分のデータを、受信バッファに受信したか否かを調べ、１ページ分のデータを受信すると、Ｓ３へ進み、受信していなければ、再度Ｓ２を実行し、データの受信を待つ。
【００８１】
Ｓ３では、受信した１ページ分のデータを表示用データに変換し、Ｓ４では、表示部で表示可能な大きさの表示用データを、表示バッファに格納し、表示部において表示する。
【００８２】
Ｓ５では、この表示しているページ内に音声タグがあるかどうかを、ブラウザにおいて検出し、抽出する。音声タグがあり、その内容のプリントが選択されたら、Ｓ６において、プリントタスクへテキストデータを転送し、データを格納する。そして、Ｓ７では、受信したデータをプリントする。
【００８３】
また、Ｓ５において、音声再生が選択されたら、Ｓ８では、音声合成タスクへテキストデータを転送し、データを格納する。そして、Ｓ９では、受信したデータの音声合成を行い、音声パス制御を行い、スピーカ等から音声再生する。そして、Ｓ１０では、改ページ等の選択を行い、改ページ（次ページ選択）や、ＵＲＬの入力によって、新しいページのデータを受信する。そして、終了が選択されれば、終了する。
【００８４】
図５は、ファクシミリ装置ＦＳ１において、ウェブ閲覧における音声再生処理を示すフローチャートである。
【００８５】
この処理を実行するプログラムは、ＲＯＭ２に記憶されている。ここでは、ユーザの操作によって、音声タグを選択させ、ユーザの音声再生選択によって、音声再生する場合について説明する。
【００８６】
まず、ステップＳ５１では、処理が開始され、この状態では、親機１０は、スタンバイ状態になっている。次に、ステップＳ５２に進み、ブラウザ動作をするために回線と接続し、通信制御部４が公衆網ＮＷと接続し、ＤＳＰ部５のデータモデムが、所定の手順に従って、回線を通して、サーバと接続し、インターネット網に接続される。
【００８７】
そして、ＷＥＢサーバを使用してウェブ閲覧を行い、その閲覧した情報において音声化すべきデータがあれば、音声再生できる状態として動作する。なお、公衆網に接続しなくても、装置内に記憶されているウェブ情報を参照するようにしてもよい。
【００８８】
次に、ステップＳ５３に進み、ウェブ閲覧している情報に音声化すべきタグを検索し、ステップＳ５４では、音声タグを検出すると、ステップＳ５５に進み、表示部１１に表示し、ユーザに知らせ、選択することをユーザに促し、ユーザが選択しなければ、ステップＳ５２に進み、上記ウェブ閲覧を続行する。このユーザによる選択は、操作部１２による指示に基づいて行われる。
【００８９】
一方、ステップＳ５５では、ユーザが、その音声タグの内容を音声再生モードとして聞くことを選択する。この選択操作は、操作部の再生キー１５で行う。そして、ステップＳ５６に進み、音声出力を行う。
【００９０】
その音声の再生先が、子機３０であるかどうかを見る。これは、親機１０の操作部１２において、その再生先が、子機３０に選択された場合を示し、その場合は、親機（情報端末）１０と子機（無線端末）３０とを無線接続し、音声パスを形成させ、子機３０が音声再生する。このような音声再生先として、子機３０を選択する操作は、本体の子機指定キー１６を押下することによって実行される。
【００９１】
なお、上記説明では、ステップＳ５５で、音声再生するかをユーザが選択するようにしているが、このようにする代わりに、再生すべき音声を検出したら、その場で、音声出力を実行するようにしてもよい。
【００９２】
また、ステップＳ５５で再生選択されなければ、ステップＳ５２に進み、上記ウェブ閲覧を続行する。これによって、ステップＳ５９で終了となるが、上記ウェブ閲覧を続行する場合は、ステップＳ５２に進み、また終了すれば、スタンバイになる。
【図面の簡単な説明】
【００９３】
【図１】本発明の実施例１であるプリンタ機能を持ったウェブブラウザ機能付きのファクシミリ装置ＦＳ１を示す図である。
【図２】ファクシミリ装置ＦＳ１における親機１０の内部構成を示す図である。
【図３】子機３０の内部構成を示す図である。
【図４】ユーザ操作によって音声タグを選択させた際に、音声再生するべき音声タグ内のデータをプリントアウトする動作を示すフローチャートである。
【図５】ファクシミリ装置ＦＳ１において、ウェブ閲覧における音声再生処理を示すフローチャートである。
【符号の説明】
【００９４】
１０…親機、
１１…表示部、
１２…操作部、
１３…ハンドセット、
１４…アンテナ、
１５…再生キー、
１６…子機指定キー、
１７…有線回線、
３０…子機、
３１…表示部、
３２…操作部、
３３…アンテナ。
【図１】
2005174164.tif 000003
【図２】
2005174164.tif 000004
【図３】
2005174164.tif 000005
【図４】
2005174164.tif 000006
【図５】
2005174164.tif 000007